(57)【要約】【課題】固定部材により配置部材に固定されたシート材のたるみを防止する。【解決手段】露光部１８では、後端チャック３６が回転ドラム２４に接近されかつ装着レバー９６が回転されて装着溝４２に装着されることで、回転ドラム２４に印刷版１２が固定される。ここで、支持軸９０が挿通される支持孔６２が左右方向へ長尺の長穴とされているため、後端チャック３６が回転ドラム２４に接近される際に装着レバー９６が装着溝４２から左右方向へずれている場合でも、このずれは装着レバー９６が後端チャック３６に対し左右方向へ移動されることで吸収される。これにより、昇降フレーム３４が回転ドラム２４に接近されて装着レバー９６が装着溝４２に装着される際に、後端チャック３６が回転ドラム２４に対し左右方向及び前後方向へずれることを防止でき、後端チャック３６によって回転ドラム２４に固定された印刷版１２がたるむことを防止できる。【選択図】　　　図１
2004094164.tif 000002
【特許請求の範囲】
【請求項１】
シート材が配置され、被装着部が設けられた配置部材と、
前記配置部材の近傍に設けられ、前記配置部材に接近可能とされた移動部材と、
前記移動部材に保持されると共に装着部が移動可能に設けられ、前記移動部材が前記配置部材に接近された際には前記装着部が前記被装着部に装着されて前記配置部材に前記シート材を固定すると共に前記移動部材による保持が解除され、前記移動部材が接近された際には前記装着部の前記被装着部への装着が解除されて前記配置部材への前記シート材の固定を解除すると共に前記移動部材に保持される固定部材と、
を備えたシート材固定装置。
【請求項２】
前記移動部材に設けられると共に前記装着部の移動を許可した状態で前記装着部に係合され、前記移動部材が前記配置部材に接近された際には前記装着部を前記被装着部に装着させ、前記移動部材が前記固定部材に接近された際には前記装着部に係合されて前記装着部の前記被装着部への装着を解除させる係合部を備えた、
ことを特徴とする請求項１記載のシート材固定装置。
【請求項３】
前記移動部材及び固定部材の少なくとも一方に設けられ、前記移動部材に保持された前記固定部材の前記移動部材に対する所定方向への移動を所定距離に制限する制限部材を備え、
かつ、前記固定部材に対する前記装着部の所定方向への移動可能距離を所定距離よりも大きくした、
ことを特徴とする請求項１または請求項２記載のシート材固定装置。
【請求項４】
前記移動部材に設けられ、前記移動部材が前記固定部材に接近された際には前記装着部に係合されることで前記装着部の前記被装着部への装着を解除可能となる係合部と、
前記移動部材及び固定部材の少なくとも一方に設けられ、前記移動部材が前記固定部材に接近された際には前記固定部材の前記移動部材に対する所定方向への移動を所定距離に制限する制限部材と、
を備え、
かつ、前記移動部材が前記固定部材に接近された際に前記係合部の係合によって制限される前記装着部の前記係合部に対する所定方向への移動可能距離を所定距離よりも大きくした、
ことを特徴とする請求項１記載のシート材固定装置。
【発明の詳細な説明】
【０００１】
【発明の属する技術分野】
本発明は、シート材を固定するシート材固定装置に関する。
【０００２】
【従来の技術】
印刷版露光装置としては、シート状の印刷版（例えば所謂フォトポリプレートやサーマルプレート）における画像形成層（感光層や感熱層等）に、直接レーザビーム等で画像を記録（露光）するものが開発されてきている（例えば、特許文献１参照）。
【０００３】
この印刷版露光装置は、例えば円筒状の回転ドラムを備えており、回転ドラムの周面には印刷版が搬送される。回転ドラムの周面には先端チャックが取り付けられており、先端チャックによって印刷版の先端が回転ドラムの周面に固定される。その後、回転ドラムが回転されることで、回転ドラムの周面に印刷版が巻き付けられる。
【０００４】
回転ドラムの周面には所定本の装着溝が形成されており、装着溝は、回転ドラムの全周に亘って配置されると共に、断面略台形状とされている。
【０００５】
回転ドラムの近傍には、後端チャック着脱ユニットが設けられており、後端チャック着脱ユニットには複数の後端チャックが保持されている。後端チャックには複数の固定コマが回転可能に取り付けられており、固定コマは一方に長い矩形ブロック状とされて、固定コマの長手方向が装着溝に平行とされている。
【０００６】
ここで、後端チャック着脱ユニットによって後端チャックが回転ドラム周面の印刷版後端近傍に接近されることで、固定コマが装着溝に挿入される。さらに、固定コマが回転されてその長手方向が装着溝に垂直とされることで、装着溝から固定コマが離脱不能になり、後端チャックが回転ドラムの周面に装着される。
【０００７】
後端チャックには板バネが設けられており、固定コマが装着溝に挿入されることで、板バネが回転ドラムに接触されて後端チャックに回動力が付与される。これにより、後端チャックと回転ドラムの周面との間に印刷版の後端が狭持され、さらに、上述の如く後端チャックが回転ドラムの周面に装着されることで、回転ドラムの周面に印刷版の後端が固定される。
【０００８】
このように、印刷版の先端が先端チャックに固定されると共に、印刷版の後端が後端チャックに固定されることで、回転ドラムの周面に印刷版が固定される。また、後端チャックは印刷版のサイズに対応して回転ドラム周面の任意の位置に装着でき、これにより、回転ドラムの周面に複数サイズの印刷版を固定可能とされている。
【０００９】
回転ドラムの近傍には記録ヘッド部が設置されており、回転ドラムの周面に固定された印刷版に、回転ドラムが高速回転されつつ、記録ヘッド部から画像データに基づいて変調されたレーザ光が照射されることで、印刷版が露光処理される構成である。
【００１０】
しかしながら、このような印刷版露光装置では、後端チャック着脱ユニットによって後端チャックが回転ドラムの周面に接近された際に、固定コマの中心が装着溝の幅方向中央からずれている場合には、装着溝に挿入された固定コマが回転されて後端チャックが回転ドラムの周面に装着される際に、後端チャックが回転ドラムの軸方向へずれる。これにより、回転ドラムの周面に固定された印刷版にたるみができる。
【００１１】
しかもこの場合には、装着溝に挿入された固定コマが装着溝に強い摺動力で摺動しながら回転されて後端チャックが回転ドラムの周面に装着されると、後端チャックが回転ドラムの周方向へずれ、この後端チャックの回転ドラム周方向へのずれが印刷版側である場合には、回転ドラムの周面に固定された印刷版にたるみができる。
【００１２】
ところで、回転ドラムの周面に巻き付けられた印刷版にたるみができると、回転ドラムの周面に印刷版が密着されず、これにより、印刷版が露光処理される際にピントボケが生じる等の問題がある。
【００１３】
ここで、後端チャック着脱ユニットによって後端チャックが回転ドラムの周面に接近された際に固定コマの中心が装着溝の幅方向中央からずれることを防止するためには、装着溝と固定コマとの設置間隔（ピッチ）を精密に合わせ、しかも、後端チャックを回転ドラムの周面に接近させる際の回転ドラムと後端チャックとの回転ドラム軸方向への位置を厳密に調整しなければならない。これにより、後端チャック着脱ユニット、後端チャック及び回転ドラムのコストが高くなるという問題がある。
【００１４】
【特許文献１】
特開２００１−１２５２７６公報
【００１５】
【発明が解決しようとする課題】
本発明は上記事実を考慮し、固定部材によって配置部材にシート材が固定される際にシート材がたるむことを低コストで防止できるシート材固定装置を得ることが目的である。
【００１６】
【課題を解決するための手段】
請求項１に記載のシート材固定装置は、シート材が配置され、被装着部が設けられた配置部材と、前記配置部材の近傍に設けられ、前記配置部材に接近可能とされた移動部材と、前記移動部材に保持されると共に装着部が移動可能に設けられ、前記移動部材が前記配置部材に接近された際には前記装着部が前記被装着部に装着されて前記配置部材に前記シート材を固定すると共に前記移動部材による保持が解除され、前記移動部材が接近された際には前記装着部の前記被装着部への装着が解除されて前記配置部材への前記シート材の固定を解除すると共に前記移動部材に保持される固定部材と、を備えている。
【００１７】
請求項１に記載のシート材固定装置では、シート材が配置された配置部材に固定部材を保持する移動部材が接近された際に、固定部材の装着部が配置部材の被装着部に装着されて固定部材が配置部材にシート材を固定すると共に、移動部材による固定部材の保持が解除される。また、装着部が被装着部に装着された状態の固定部材に移動部材が接近された際には、装着部の被装着部への装着が解除されて固定部材による配置部材へのシート材の固定が解除されると共に、固定部材が移動部材に保持される。
【００１８】
ここで、固定部材に対する装着部の移動が可能とされている。このため、移動部材が配置部材に接近される際に、装着部が被装着部からずれている場合でも、このずれを固定部材に対する装着部の移動によって吸収することができる。これにより、移動部材が配置部材に接近されて装着部が被装着部に装着される際に、配置部材に対し固定部材がずれることを防止でき、固定部材によって配置部材に固定されたシート材がたるむことを防止することができる。
【００１９】
しかも、固定部材に対する装着部の移動を可能とするのみでよいため、固定部材によって配置部材に固定されたシート材がたるむことを防止する構成を低コストで実現することができる。
【００２０】
請求項２に記載のシート材固定装置は、請求項１に記載のシート材固定装置において、前記移動部材に設けられると共に前記装着部の移動を許可した状態で前記装着部に係合され、前記移動部材が前記配置部材に接近された際には前記装着部を前記被装着部に装着させ、前記移動部材が前記固定部材に接近された際には前記装着部に係合されて前記装着部の前記被装着部への装着を解除させる係合部を備えた、ことを特徴としている。
【００２１】
請求項２に記載のシート材固定装置では、固定部材を保持すると共に係合部が装着部に係合された移動部材が配置部材に接近された際に、係合部が装着部を被装着部に装着させる。また、装着部が被装着部に装着された状態の固定部材に移動部材が接近された際には、係合部が装着部に係合されて係合部が装着部の被装着部への装着を解除させる。
【００２２】
ここで、係合部は装着部の移動を許可した状態で装着部に係合されるため、依然として固定部材に対する装着部の移動を可能とすることができる。
【００２３】
請求項３に記載のシート材固定装置は、請求項１または請求項２に記載のシート材固定装置において、前記移動部材及び固定部材の少なくとも一方に設けられ、前記移動部材に保持された前記固定部材の前記移動部材に対する所定方向への移動を所定距離に制限する制限部材を備え、かつ、前記固定部材に対する前記装着部の所定方向への移動可能距離を所定距離よりも大きくした、ことを特徴としている。
【００２４】
請求項３に記載のシート材固定装置では、移動部材に保持された固定部材の移動部材に対する所定方向への移動が、移動部材及び固定部材の少なくとも一方に設けられた制限部材によって所定距離に制限される。
【００２５】
ここで、固定部材に対する装着部の所定方向への移動可能距離が所定距離よりも大きくされている。このため、固定部材を保持する移動部材が配置部材に接近された際には、装着部を被装着部に確実に装着することができる。
【００２６】
請求項４に記載のシート材固定装置は、請求項１に記載のシート材固定装置において、前記移動部材に設けられ、前記移動部材が前記固定部材に接近された際には前記装着部に係合されることで前記装着部の前記被装着部への装着を解除可能となる係合部と、前記移動部材及び固定部材の少なくとも一方に設けられ、前記移動部材が前記固定部材に接近された際には前記固定部材の前記移動部材に対する所定方向への移動を所定距離に制限する制限部材と、を備え、かつ、前記移動部材が前記固定部材に接近された際に前記係合部の係合によって制限される前記装着部の前記係合部に対する所定方向への移動可能距離を所定距離よりも大きくした、ことを特徴としている。
【００２７】
請求項４に記載のシート材固定装置では、装着部が被装着部に装着された状態の固定部材に移動部材が接近された際に、移動部材に設けられた係合部が装着部に係合されることで、装着部の被装着部への装着が解除可能となる。さらに、装着部が被装着部に装着された状態の固定部材に移動部材が接近された際には、移動部材及び固定部材の少なくとも一方に設けられた制限部材が、固定部材の移動部材に対する所定方向への移動を所定距離に制限する。
【００２８】
ここで、装着部が被装着部に装着された状態の固定部材に移動部材が接近された際に係合部の係合によって制限される装着部の係合部に対する所定方向への移動可能距離が所定距離よりも大きくされている。このため、この際には、係合部が装着部に確実に係合することができる。
【００２９】
【発明の実施の形態】
図１０には、本発明のシート材固定装置が適用されて構成された実施の形態に係る印刷版自動露光装置１０が側面図にて示されている。
【００３０】
本実施の形態に係る印刷版自動露光装置１０は、シート材としてのフォトポリプレートやサーマルプレート等の印刷版１２における支持体上の画像形成層（感光層や感熱層等）に画像を露光（記録）するものである。印刷版自動露光装置１０は、搬送ガイドユニット１４とパンチ部１６と露光部１８とに分かれており、搬送ガイドユニット１４の前方にパンチ部１６及び露光部１８が配置されると共に、パンチ部１６の下方に露光部１８が配置されている。
【００３１】
搬送ガイドユニット１４は、略四角形平板状の給版ガイド２０と、略四角形平板状の排版ガイド２２と、を有しており、給版ガイド２０と排版ガイド２２とは互いの相対位置関係が横Ｖ字型とされている。搬送ガイドユニット１４は、図１０の中央付近を中心として所定角度回動する構造となっており、この回動によって、給版ガイド２０や排版ガイド２２を選択的にパンチ部１６や露光部１８に対応させることができる。また、給版ガイド２０上には、印刷版１２が供給される。
【００３２】
ここで、搬送ガイドユニット１４が回動されて給版ガイド２０がパンチ部１６に対応（対向）されることで、給版ガイド２０上の印刷版１２の前端部がパンチ部１６内に搬送されて、パンチ部１６によって印刷版１２の前端部に例えば円孔と長孔等の所定数のパンチ孔（図示省略）が穿孔される。パンチ部１６での処理が終了すると、印刷版１２が給版ガイド２０上へ戻される。
【００３３】
露光部１８は、配置部材としての回転ドラム２４を備えており、回転ドラム２４は円柱状とされて、互いに対向する一対の支持板４０間に支持される（図３及び図４参照）と共に、周方向両側（図１０の矢印Ａ及び矢印Ｂの方向）へ回転可能とされている。回転ドラム２４の周面には、被装着部としての装着溝４２が所定数（本実施の形態では４対）形成されており、各装着溝４２は、回転ドラム２４周面の周方向全体に亘って形成されると共に、断面台形状とされて回転ドラム２４外側部位が回転ドラム２４内側部位に比し左右方向（回転ドラム２４の回転軸方向）において小さくされている（図９参照）。
【００３４】
ここで、上述の如くパンチ部１６から給版ガイド２０上へ印刷版１２が戻されると、搬送ガイドユニット１４が回動されて給版ガイド２０が露光部１８に対応される（回転ドラム２４の接線方向に対向される）ことで、回転ドラム２４の周面上に印刷版１２の前端が搬送（配置）されて、印刷版１２が位置決めされる。
【００３５】
回転ドラム２４の周面には、印刷版１２の前端が搬送される位置において、前端チャック２６が所定数（本実施の形態では１１個）左右方向に沿って設けられている（図４参照）。各前端チャック２６は板状とされて回転自在に支持されており、各前端チャック２６の前側には、回転ドラム２４周面から離間される方向へ弾性力が付与されている。
【００３６】
各前端チャック２６の上方には装着カム２８が設けられており、装着カム２８が各前端チャック２６の前側を押圧することで、各前端チャック２６の後端が上記弾性力に抗して回転ドラム２４の周面から離間している。これにより、上述の如く給版ガイド２０から回転ドラム２４の周面上に搬送される印刷版１２の前端が各前端チャック２６の後端と回転ドラム２４の周面との間に挿入され、この状態で上記印刷版１２の位置決めが行われる。また、上記印刷版１２の位置決めが終了した後には、装着カム２８が回動して各前端チャック２６前側の押圧を解除することで、各前端チャック２６の後端が上記弾性力により印刷版１２の前端を回転ドラム２４の周面に押し付けて、回転ドラム２４の周面に印刷版１２の前端が固定される。その後、回転ドラム２４が図１０の矢印Ａの方向へ回転されことで、印刷版１２が回転ドラム２４の周面に巻き付けられる。
【００３７】
回転ドラム２４の周面近傍には、各装着カム２８よりも図１０の矢印Ａの方向側において、円柱状のスクイズローラ３０が配設されている。スクイズローラ３０は、回転ドラム２４側へ移動されることで、回転ドラム２４に巻き付けられる印刷版１２を回転ドラム２４へ向けて押圧しつつ回転され、印刷版１２を回転ドラム２４の周面に密着させる。
【００３８】
回転ドラム２４の周面近傍には、各装着カム２８とスクイズローラ３０との間において、後端チャック着脱ユニット３２が配設されており、上述の如く回転ドラム２４の周面に巻き付けられる印刷版１２の後端が後端チャック着脱ユニット３２に対向する位置で回転ドラム２４が一時停止される。
【００３９】
図３及び図４に示す如く、後端チャック着脱ユニット３２は円軸状のカム軸４４を有しており、カム軸４４は、回転ドラム２４の上方において一対の支持板４０間に回転可能に支持されている。カム軸４４の両端近傍には昇降カム４６が固定されており、各昇降カム４６は、円盤状とされて、中心の真下にカム軸４４の中心が配置されている。カム軸４４の右端は、右側の支持板４０から外側へ突出されて連結ギヤ４８が固定されており、連結ギヤ４８は、右側の支持板４０に固定された昇降モータ５０に連結されている。ここで、昇降モータ５０が駆動されると、連結ギヤ４８及びカム軸４４を介して各昇降カム４６が回転される。
【００４０】
連結ギヤ４８及び右側の支持板４０には昇降センサ５２が設けられており、昇降センサ５２が連結ギヤ４８の回転位置を感知することで、各昇降カム４６が中心の真上にカム軸４４の中心が配置される回転位置に回転されたこと及び各昇降カム４６が中心の真下にカム軸４４の中心が配置される回転位置に回転されたことが検出され、この際には、昇降モータ５０の駆動が停止されて、各昇降カム４６の回転が停止される。
【００４１】
カム軸４４の下方には、移動部材としての昇降フレーム３４が配置されており、昇降フレーム３４は上面が開口した長尺直方体箱状とされている。昇降フレーム３４の両端には案内板５４が固定されており、各案内板５４の上部には断面Ｕ字板状の支持部材５６が固定されている。各支持部材５６の内部には円盤状の駆動盤５８が回転自在に支持されると共に、各支持部材５６と各支持板４０との間には引張コイルスプリング５９が架け渡されており、各引張コイルスプリング５９によって各支持部材５６が上方へ付勢されることで、駆動盤５８の上端が昇降カム４６の下端に当接している。
【００４２】
各案内板５４に対応して各支持板４０には案内溝６０が設けられており、各案内溝６０には各案内板５４が部分的に嵌入されている。ここで、昇降モータ５０が駆動されて、各昇降カム４６が中心の真上にカム軸４４の中心が配置される回転位置に回転される際には、各昇降カム４６に各駆動盤５８が押圧されて、各引張コイルスプリング５９の付勢力に抗して各案内板５４が各案内溝６０に案内されつつ各支持部材５６が下降されることで、昇降フレーム３４が回転ドラム２４の周面に接近される。また、この状態から昇降モータ５０が駆動されて、各昇降カム４６が中心の真下にカム軸４４の中心が配置される回転位置に回転される際には、各引張コイルスプリング５９の付勢力によって各案内板５４が各案内溝６０に案内されつつ各支持部材５６が上昇されることで、昇降フレーム３４が回転ドラム２４の周面から離間される。
【００４３】
図５及び図６に示す如く、昇降フレーム３４内には、係合部としてのソケット７２が所定数（本実施の形態では４対）回転可能に支持されている。各ソケット７２は昇降フレーム３４の下面から下方へ突出しており、各ソケット７２の下端には平面状の駆動面７４が一対形成されている。また、各対の駆動面７４は、前後方向において互いに対向されて、左右方向に平行（回転ドラム２４の周方向に垂直）とされる（図８（Ａ）参照）と共に、互いの間隔（最小の間隔）がＬ１とされている（図１参照）。
【００４４】
昇降フレーム３４内には、ロックレバー７６が所定数（本実施の形態では各対のソケット７２の間における４つ）回転可能に支持されている。各ロックレバー７６は昇降フレーム３４の下面から下方へ突出しており、各ロックレバー７６の下端は直角に屈曲されている。また、各ロックレバー７６下端の屈曲部位は、前後方向に平行とされている。
【００４５】
各ソケット７２の上端及び各ロックレバー７６の上端には、連結板７８の一端が固定されている。昇降フレーム３４内には、長板状の操作リンク８０が略左右方向へ移動可能に設けられており、操作リンク８０には各連結板７８の他端が回動自在に支持されると共に、操作リンク８０は左側の位置に配置されている。また、操作リンク８０の右端には操作モータ８２が連結されている（図４参照）。
【００４６】
ここで、操作モータ８２が正方向へ駆動されると、操作リンク８０が右方へ移動されて、図５に示す如く右側の位置に配置される。これにより、各連結板７８が正方向へ９０度回動されることで各ソケット７２及び各ロックレバー７６が９０度正回転され、このため、図６に示す如く、各対の駆動面７４が前後方向（回転ドラム２４の周方向）に平行とされる（図８（Ｂ）参照）と共に、各ロックレバー７６下端の屈曲部位が左右方向に平行とされる。
【００４７】
また、この状態から操作モータ８２が逆方向へ駆動されると、操作リンク８０が左方へ移動されて、左側の位置に配置される。これにより、各連結板７８が逆方向へ９０度回動されることで各ソケット７２及び各ロックレバー７６が９０度逆回転され、このため、各対の駆動面７４が左右方向に平行とされると共に、各ロックレバー７６下端の屈曲部位が前後方向に平行とされる。
【００４８】
昇降フレーム３４の下面には、制限部材としての規制ピン８８が複数（本実施の形態では５つ）設けられており、複数の規制ピン８８は、それぞれ円柱状とされて昇降フレーム３４の下面から突出すると共に、左右方向へ等間隔で配置されている。
【００４９】
図３に示す如く、昇降フレーム３４の下方には、固定部材としての後端チャック３６が所定数（本実施の形態では４つ）左右方向に沿って配置されており、各後端チャック３６は長方形板状とされている。図７に示す如く、後端チャック３６の中央には、長方形状の保持孔９４が形成されており、保持孔９４の左右方向長さは前後方向長さに比し長くされている。保持孔９４内には上記ロックレバー７６の下側が挿入（係合）されており、前後方向に平行とされたロックレバー７６下端の屈曲部位が、保持孔９４近傍の後端チャック３６に引っ掛かることで、保持孔９４からのロックレバー７６の離脱が不能とされて、後端チャック３６が昇降フレーム３４に保持されている。
【００５０】
図８に示す如く、後端チャック３６の左右方向両外側には上記規制ピン８８が配置されており、規制ピン８８によって左右方向（回転ドラム２４の回転軸方向）における後端チャック３６の位置が規制されている。また、後端チャック３６と各規制ピン８８との間の隙間は、Ｓとされている（図１参照）。
【００５１】
図１及び図２に示す如く、後端チャック３６には、右側部位の略中央及び左側部位の略中央においてそれぞれ、支持孔６２が貫通形成されており、支持孔６２は左右方向の直径Ｄ１が前後方向の直径Ｄ２よりも大きくされた長穴とされている。また、Ｄ１−Ｄ２＞２Ｓとされている。
【００５２】
各支持孔６２には、装着部としての装着レバー９６が設けられている（図７参照）。各装着レバー９６は直径Ｄ２の円柱状とされた支持軸９０を有しており、各支持軸９０が各支持孔６２に挿通されることで、各装着レバー９６が後端チャック３６に対し回転可能かつ左右方向（所定方向）へ移動可能とされている。
【００５３】
各支持軸９０の上端にはナット９８が固定されており、各ナット９８は後端チャック３６の上面から露出されている。各ナット９８は、直方体状とされており、長手方向に平行な平面状の回転面１００を一対有している。一対の回転面１００は、前後方向において互いに対向されて、それぞれ左右方向に平行（回転ドラム２４の周方向に垂直）とされる（図８（Ａ）参照）と共に、互いの間隔（最大の間隔）が上記Ｌ１よりも小さいＬ２とされかつＬ１−Ｌ２＞２Ｓとされている。各ナット９８は上記各ソケット７２の一対の駆動面７４間に配置されて、各ソケット７２が各装着レバー９６に係合されている（各対の駆動面７４が各対の回転面１００に対向されている）。
【００５４】
図９及び図１０にも示す如く、各支持軸９０の下端には固定コマ９２が固定されており、各固定コマ９２は後端チャック３６の底面から突出している。固定コマ９２は、一方向が長尺かつ他方向が短尺とされた長方体状とされており、固定コマ９２の長尺方向において対向する各側面は、下側が上側に比し徐々に拡径された傾斜面とされると共に、横断面が支持軸９０を中心とした円弧状とされている。また、図８（Ａ）に示す如く、固定コマ９２は、長尺方向が前後方向に平行とされると共に、短尺方向が左右方向に平行とされている。
【００５５】
図７及び図１０にも示す如く、後端チャック３６の前端には、右側部位下端及び左側部位下端においてそれぞれ押付板１０２が設けられている。押付板１０２の表面はゴムコーティングされており、押付板１０２の摩擦係数が大きくされている。また、図３にも示す如く、後端チャック３６の後側底面には、一対のコイルスプリング１０４の上端が固定されており、各コイルスプリング１０４は各装着レバー９６の後方に配置されている。
【００５６】
ここで、上述の如く回転ドラム２４に巻き付けられる印刷版１２の後端が後端チャック着脱ユニット３２に対向すると、昇降モータ５０が駆動されて昇降フレーム３４が回転ドラム２４の周面に接近されることで、各後端チャック３６が回転ドラム２４の周面に接触する。これにより、図９（Ａ）に示す如く各装着レバー９６の固定コマ９２が回転ドラム２４の各装着溝４２に挿入され、この状態で、操作モータ８２が正方向へ駆動されることで、各ソケット７２及び各ロックレバー７６が９０度正回転されて、各対の駆動面７４が前後方向に平行とされると共に、各ロックレバー７６下端の屈曲部位が左右方向に平行とされる。
【００５７】
このため、各ソケット７２によって各装着レバー９６（各ナット９８）が９０度正回転されて、図８（Ｂ）に示す如く各対の回転面１００が前後方向に平行とされると共に、図９（Ｂ）に示す如く各固定コマ９２の長尺方向が左右方向とされて各装着レバー９６が各装着溝４２に装着され（各装着レバー９６の各装着溝４２からの離脱が不能になり）、各後端チャック３６が回転ドラム２４の周面に装着される。この際、各コイルスプリング１０４の下端が各装着溝４２の底面を押圧することで、各後端チャック３６前端の各押付板１０２が各対のコイルスプリング１０４の付勢力により印刷版１２の後端を回転ドラム２４の周面に押し付けて、回転ドラム２４の周面に印刷版１２の後端が固定される。
【００５８】
さらに、左右方向に平行とされた各ロックレバー７６下端の屈曲部位が各保持孔９４から離脱可能となって、昇降フレーム３４による各後端チャック３６の保持が解除される。その後、昇降モータ５０が駆動されることで、昇降フレーム３４が回転ドラム２４の周面から離間される。
【００５９】
このように、各前端チャック２６及び各後端チャック３６によって印刷版１２の前端及び後端が回転ドラム２４の周面に固定されると、スクイズローラ３０が回転ドラム２４から離間された後に、回転ドラム２４が所定の回転速度で高速回転される。
【００６０】
図１０に示す如く、回転ドラム２４周面の後側近傍には、記録ヘッド３８が配設されており、記録ヘッド３８は、高速回転される回転ドラム２４に向け、この回転ドラム２４の回転に同期させて、読み込まれた画像データに基づいて変調した光ビームを照射し、これにより、印刷版１２が画像データに基づいて露光される。この露光処理は、回転ドラム２４を高速で回転させながら（主走査）、記録ヘッド３８を回転ドラム２４の軸線方向へ移動させる（副走査）、所謂走査露光である。
【００６１】
この印刷版１２への露光処理が終了すると、各後端チャック３６が昇降フレーム３４に対向する位置で回転ドラム２４が一時停止される。さらに、昇降モータ５０が駆動されて昇降フレーム３４が回転ドラム２４の周面（各後端チャック３６）に接近されることで、各ソケット７２の一対の駆動面７４間に各ナット９８が配置されて各ソケット７２が各装着レバー９６に係合すると共に、各ロックレバー７６下端の屈曲部位が各保持孔９４に挿入される。その後、操作モータ８２が逆方向へ駆動されることで、各ソケット７２及び各ロックレバー７６が９０度逆回転されて、各対の駆動面７４が左右方向に平行とされると共に、各ロックレバー７６下端の屈曲部位が前後方向に平行とされる。
【００６２】
このため、各ソケット７２によって各装着レバー９６（各ナット９８）が９０度逆回転されて、図８（Ａ）に示す如く各対の回転面１００が左右方向に平行とされると共に、図９（Ａ）に示す如く各固定コマ９２の長尺方向が前後方向とされて各装着レバー９６の各装着溝４２への装着が解除され（各装着レバー９６を各装着溝４２から離脱可能になり）、各後端チャック３６の回転ドラム２４周面への装着が解除されて、各後端チャック３６前端の各押付板１０２による回転ドラム２４周面への印刷版１２後端の固定が解除される。
【００６３】
さらに、前後方向に平行とされた各ロックレバー７６下端の屈曲部位が各保持孔９４から離間不能となって、昇降フレーム３４に各後端チャック３６が保持される。その後、昇降モータ５０が駆動されることで、昇降フレーム３４が各後端チャック３６と共に回転ドラム２４の周面から離間される。
【００６４】
さらに、搬送ガイドユニット１４が回動されて排版ガイド２２が露光部１８に対応された（回転ドラム２４の接線方向に対向された）後、回転ドラム２４が図１０の矢印Ｂの方向へ回転されることで、印刷版１２が後端側から排版ガイド２２上へ排出される。この際、装着カム２８が回動されて各前端チャック２６の前側を押圧することで、各前端チャック２６の後端による印刷版１２前端の固定が解除される。また、印刷版１２が排版ガイド２２に送られると、搬送ガイドユニット１４が回動されて、排版ガイド２２から印刷版１２が排出され、これにより、印刷版１２が印刷版自動露光装置１０に隣接する次工程の現像装置または印刷装置（図示省略）へ搬送される構成である。
【００６５】
次に、本実施の形態の作用を説明する。
【００６６】
以上の構成の印刷版自動露光装置１０では、印刷版１２を給版ガイド２０に載置すると、先ず、搬送ガイドユニット１４を回動させて給版ガイド２０をパンチ部１６に対応させることで、印刷版１２の前端部をパンチ部１６内に搬送する。パンチ部１６内に搬送された印刷版１２は、前端部にパンチ部１６により所定数のパンチ孔が穿孔された後、給版ガイド２０上に戻される。
【００６７】
さらに、搬送ガイドユニット１４を回動させて給版ガイド２０を露光部１８に対応させることで、印刷版１２を露光部１８へ搬送して、位置決めする。位置決めされた印刷版１２は、前端と後端とがそれぞれ前端チャック２６と後端チャック３６とによって回転ドラム２４の周面に固定されると共にスクイズローラ３０によって回転ドラム２４の周面に密着されつつ、回転ドラム２４の周面に巻き付けられる。回転ドラム２４の周面に印刷版１２を巻き付けると、回転ドラム２４を高速回転させた状態で、記録ヘッド３８から光ビームを印刷版１２へ照射することで、露光処理を行う。
【００６８】
露光処理が終了すると、搬送ガイドユニット１４を回動させて排版ガイド２２を回転ドラム２４へ対応させると共に、前端チャック２６及び後端チャック３６による印刷版１２の回転ドラム２４周面への保持を解除しつつ、印刷版１２を回転ドラム２４から排版ガイド２２へ排出する。その後、搬送ガイドユニット１４を回動させて排版ガイド２２から印刷版１２を排出する。
【００６９】
ところで、露光部１８では、回転ドラム２４の近傍に昇降フレーム３４が設けられており、昇降フレーム３４のロックレバー７６が後端チャック３６の保持孔９４に挿入されると共に、ロックレバー７６下端の屈曲部位が前後方向に平行とされることで、保持孔９４からのロックレバー７６の離脱が不能とされて、昇降フレーム３４に後端チャック３６が保持されている。昇降フレーム３４にはソケット７２が設けられると共に、後端チャック３６には装着レバー９６が設けられており、図８（Ａ）に示す如く、ソケット７２下端の駆動面７４及び装着レバー９６上端（ナット９８）の回転面１００が左右方向に平行（回転ドラム２４の周方向に垂直）とされて、ソケット７２の駆動面７４が装着レバー９６の回転面１００に係合すると共に、図９（Ａ）に示す如く、装着レバー９６下端（固定コマ９２）の長尺方向が前後方向とされている。
【００７０】
昇降モータ５０が駆動されて昇降フレーム３４が回転ドラム２４の周面に接近された際（装着レバー９６の固定コマ９２が回転ドラム２４の装着溝４２に挿入された際）には、操作モータ８２が正方向へ駆動されて、図８（Ｂ）に示す如く駆動面７４が前後方向（回転ドラム２４の周方向）に平行となる回転位置にソケット７２が正回転されることで、回転面１００が前後方向に平行となる回転位置に装着レバー９６が正回転される。このため、図９（Ｂ）に示す如く固定コマ９２の長尺方向が左右方向とされて装着レバー９６が装着溝４２に装着され、後端チャック３６が回転ドラム２４の周面に装着される。これにより、後端チャック３６前端の押付板１０２がコイルスプリング１０４の付勢力により印刷版１２の後端を回転ドラム２４の周面に押し付けて、回転ドラム２４の周面に印刷版１２の後端が固定される。
【００７１】
また、操作モータ８２が正方向へ駆動された際には、ロックレバー７６が正回転されてロックレバー７６下端の屈曲部位が左右方向に平行とされ、このため、ロックレバー７６下端の屈曲部位が保持孔９４から離脱可能となって、昇降フレーム３４による後端チャック３６の保持が解除される。これにより、昇降モータ５０が駆動されることで、昇降フレーム３４が回転ドラム２４の周面から離間される。
【００７２】
さらに、露光処理が終了した後には、後端チャック３６が昇降フレーム３４に対向する回転位置に回転ドラム２４が停止された後、昇降モータ５０が駆動されることで昇降フレーム３４が後端チャック３６に接近される。ソケット７２が装着レバー９６に係合すると共にロックレバー７６下端の屈曲部位が保持孔９４に挿入された際には、操作モータ８２が逆方向へ駆動されることで、図８（Ａ）に示す如く、駆動面７４が左右方向に平行となる回転位置にソケット７２が逆回転されて、回転面１００が左右方向に平行となる回転位置に装着レバー９６が逆回転される。このため、図９（Ａ）に示す如く固定コマ９２の長尺方向が前後方向とされて装着レバー９６の装着溝４２への装着が解除され、後端チャック３６の回転ドラム２４周面への装着が解除される。これにより、後端チャック３６前端の押付板１０２による回転ドラム２４周面への印刷版１２後端の固定が解除される。
【００７３】
また、操作モータ８２が逆方向へ駆動された際には、ロックレバー７６が逆回転されてロックレバー７６下端の屈曲部位が前後方向に平行とされ、このため、ロックレバー７６下端の屈曲部位が保持孔９４から離脱不能となって、昇降フレーム３４に後端チャック３６が保持される。これにより、昇降モータ５０が駆動されることで、昇降フレーム３４が後端チャック３６と共に回転ドラム２４の周面から離間される。
【００７４】
ここで、装着レバー９６の支持軸９０が挿通される後端チャック３６の支持孔６２が左右方向に長尺とされた長穴とされることで、装着レバー９６が後端チャック３６に対し左右方向（印刷版１２引張方向（印刷版１２緊張方向）に垂直な方向）へ移動可能とされている。このため、後端チャック３６を保持する昇降フレーム３４が回転ドラム２４の周面に接近される際に、装着レバー９６の固定コマ９２の短尺方向中央が回転ドラム２４の装着溝４２の幅方向中央から左右方向へずれている場合でも、このずれは、例えば装着レバー９６の装着溝４２への装着のために装着レバー９６が回転される際に、装着レバー９６が後端チャック３６に対し左右方向へ移動されることで吸収される。これにより、昇降フレーム３４が回転ドラム２４の周面に接近されて装着レバー９６が装着溝４２に装着される際に、後端チャック３６が回転ドラム２４に対し左右方向（回転ドラム２４の軸方向）へずれることを防止できる。
【００７５】
しかもこのため、装着レバー９６の装着溝４２への装着のために装着レバー９６が回転される際に、装着溝４２に挿入された固定コマ９２が装着溝４２に強い摺動力で摺動しながら回転されることを防止できる。これにより、装着レバー９６が装着溝４２に装着されて後端チャック３６が回転ドラム２４の周面に装着される際に、後端チャック３６が回転ドラム２４に対し前後方向（回転ドラム２４の周方向）へずれることを防止できる。
【００７６】
したがって、後端チャック３６によって回転ドラム２４の周面に固定された印刷版１２にたるみができることを防止でき、これにより、回転ドラム２４の周面に印刷版１２が密着されて巻き付けられることで、印刷版２４が露光処理される際にピントボケが生じることを防止することができる。
【００７７】
しかも、後端チャック３６の支持孔６２を長穴として後端チャック３６に対する装着レバー９６の移動を可能とするのみでよいため、後端チャック３６によって回転ドラム２４の周面に固定された印刷版１２にたるみができることを防止する構成を低コストで実現することができる。
【００７８】
さらに、昇降フレーム３４のソケット７２が装着レバー９６のナット９８に係合された際には、ソケット７２の駆動面７４とナット９８の回転面１００との間に隙間が開けられると共に一対の対向する駆動面７４が平行かつ平面とされているため、ソケット７２に対しナット９８が移動可能とされている。このため、昇降フレーム３４が回転ドラム２４の周面に接近されて装着レバー９６が装着溝４２に装着される際に、ソケット７２に対しナット９８が移動でき、これにより、依然として後端チャック３６に対する装着レバー９６の左右方向への移動を可能とすることができる。
【００７９】
また、後端チャック３６と、後端チャック３６の左右方向両外側に配置される昇降フレーム３４の各規制ピン８８と、の間の隙間がＳとされているため、昇降フレーム３４に後端チャック３６が保持された際、及び、装着レバー９６が装着溝４２に装着された状態の後端チャック３６に昇降フレーム３４が接近された際には、後端チャック３６の昇降フレーム３４に対する左右方向への移動が、各規制ピン８８によって２Ｓ（所定距離）に制限される。
【００８０】
一方、後端チャック３６における支持孔６２の左右方向における直径がＤ１とされると共に、装着レバー９６における支持軸９０の直径がＤ２とされているため、後端チャック３６に対する装着レバー９６の左右方向への移動可能距離がＤ１−Ｄ２とされている。
【００８１】
さらに、昇降フレーム３４のソケット７２における一対の駆動面７４間の間隔がＬ１とされると共に、後端チャック３６の装着レバー９６（ナット９８）における一対の回転面１００間の間隔がＬ２とされているため、装着レバー９６が装着溝４２に装着された状態の後端チャック３６に昇降フレーム３４が接近された際には、ソケット７２の係合によって制限される装着レバー９６のソケット７２に対する左右方向への移動可能距離がＬ１−Ｌ２とされている。
【００８２】
ここで、後端チャック３６に対する装着レバー９６の左右方向への移動可能距離（Ｄ１−Ｄ２）が、各規制ピン８８によって制限される昇降フレーム３４に保持された後端チャック３６の昇降フレーム３４に対する左右方向への移動可能距離（２Ｓ）よりも、大きくされている。このため、後端チャック３６を保持する昇降フレーム３４が回転ドラム２４の周面に接近された際には、装着レバー９６を装着溝４２に確実に装着することができる。
【００８３】
さらに、装着レバー９６が装着溝４２に装着された状態の後端チャック３６に昇降フレーム３４が接近された際には、ソケット７２の係合によって制限される装着レバー９６のソケット７２に対する左右方向への移動可能距離（Ｌ１−Ｌ２）が、各規制ピン８８によって制限される後端チャック３６の昇降フレーム３４に対する左右方向への移動可能距離（２Ｓ）よりも、大きくされている。このため、この際には、ソケット７２が装着レバー９６に確実に係合することができる。
【００８４】
また、後端チャック３６が回転ドラム２４の周面に装着された際には、ソケット７２の駆動面７４及び装着レバー９６の回転面１００が回転ドラム２４の周方向（前後方向）に平行とされて、ソケット７２に対する装着レバー９６の回転ドラム２４周方向への移動が可能とされている。このため、装着レバー９６が装着溝４２に装着された状態の後端チャック３６に昇降フレーム３４が接近された際に、仮に回転ドラム２４の回転停止位置精度が悪くてソケット７２の回転中心が装着レバー９６（ナット９８）の回転中心に一致しない場合でも、回転ドラム２４を周方向へ回転（移動）させるのみで、ソケット７２の回転中心を装着レバー９６の回転中心に一致させることができる。これにより、ソケット７２によって装着レバー９６を確実に回転させることができ、回転ドラム２４周面への後端チャック３６の装着を確実に解除することができる。
【００８５】
しかも、装着レバー９６が装着溝４２に装着された状態の後端チャック３６に昇降フレーム３４が接近された際に、仮に回転ドラム２４の回転停止位置精度が僅かに悪くてソケット７２が装着レバー９６に係合する（駆動面７４が回転面１００に少なくとも部分的に対向する）もののソケット７２の回転中心が装着レバー９６の回転中心に一致しない場合には、回転ドラム２４を周方向へ回転させなくても、ソケット７２を回転させるのみで、必要に応じて後端チャック３６（装着レバー９６）が回転ドラム２４に対して移動されることで、装着レバー９６を回転させることができる。これは、装着レバー９６の左右方向への移動が装着溝４２への当接により阻止された場合やソケット７２の駆動面７４にナット９８の回転面１００が当接された場合でも同様である。これにより、ソケット７２によって装着レバー９６を容易に（回転ドラム２４を周方向へ回転させることなく）回転させることができ、回転ドラム２４周面への後端チャック３６の装着を容易に解除することができる。
【００８６】
なお、本実施の形態では、本発明を後端チャック３６に適用した構成としたが、本発明を前端チャックに適用した構成としてもよい。
【００８７】
【発明の効果】
請求項１に記載のシート材固定装置では、固定部材に対する装着部の移動を可能とするのみで、移動部材が配置部材に接近されて装着部が被装着部に装着される際に装着部の被装着部からのずれを装着部の移動によって吸収することができるため、シート材がたるむことを低コストで防止できる。
【００８８】
請求項２に記載のシート材固定装置では、係合部が装着部の移動を許可した状態で装着部に係合されるため、依然として固定部材に対する装着部の移動を可能とすることができる。
【００８９】
請求項３に記載のシート材固定装置では、固定部材に対する装着部の所定方向への移動可能距離が、制限部材によって制限される固定部材の移動部材に対する所定方向への移動可能距離よりも大きくされているため、装着部を被装着部に確実に装着することができる。
【００９０】
請求項４に記載のシート材固定装置では、係合部の係合によって制限される装着部の係合部に対する所定方向への移動可能距離が、制限部材によって制限される固定部材の移動部材に対する所定方向への移動可能距離よりも大きくされているため、係合部が装着部に確実に係合することができる。
【図面の簡単な説明】
【図１】本発明の実施の形態に係る印刷版自動露光装置において後端チャックが回転ドラムに装着された際の昇降フレーム、後端チャック及び回転ドラムを示す正面図である。
【図２】本発明の実施の形態に係る印刷版自動露光装置における後端チャックの支持孔を示す平面図である。
【図３】本発明の実施の形態に係る印刷版自動露光装置の後端チャック着脱ユニット、後端チャック及び回転ドラムを示す前方からの斜視図である。
【図４】本発明の実施の形態に係る印刷版自動露光装置の後端チャック着脱ユニット及び回転ドラムを示す後方からの斜視図である。
【図５】本発明の実施の形態に係る印刷版自動露光装置において後端チャックを保持しない状態の昇降フレームを示す平面図である。
【図６】本発明の実施の形態に係る印刷版自動露光装置において後端チャックを保持しない状態の昇降フレームを示す下方からの斜視図である。
【図７】本発明の実施の形態に係る印刷版自動露光装置において昇降フレームに保持されない状態の後端チャックを示す斜視図である。
【図８】本発明の実施の形態に係る印刷版自動露光装置における昇降フレームのソケット（駆動面）及び後端チャックの装着レバー（回転面）の回転状況を示す概略的な平面図であり、（Ａ）は、後端チャックの回転ドラムへの装着が解除された際を示す図であり、（Ｂ）は、後端チャックが回転ドラムへ装着された際を示す図である。
【図９】本発明の実施の形態に係る印刷版自動露光装置における後端チャックの装着レバー及び回転ドラムの装着溝を示す断面図であり、（Ａ）は、後端チャックの回転ドラムへの装着が解除された際を示す図であり、（Ｂ）は、後端チャックが回転ドラムへ装着された際を示す図である。
【図１０】本発明の実施の形態に係る印刷版自動露光装置を示す概略的な側面図である。
【符号の説明】
１０　　印刷版自動露光装置
１２　　印刷版（シート材）
２４　　回転ドラム（配置部材）
３４　　昇降フレーム（移動部材）
３６　　後端チャック（固定部材）
４２　　装着溝（被装着部）
７２　　ソケット（係合部）
８８　　規制ピン（制限部材）
９６　　装着レバー（装着部）
【図１】
2004094164.tif 000003
【図２】
2004094164.tif 000004
【図３】
2004094164.tif 000005
【図４】
2004094164.tif 000006
【図５】
2004094164.tif 000007
【図６】
2004094164.tif 000008
【図７】
2004094164.tif 000009
【図８】
2004094164.tif 000010
【図９】
2004094164.tif 000011
【図１０】
2004094164.tif 000012